(57)【特許請求の範囲】
【請求項１】
吸気口と排気口を有する本体ケースと、この本体ケース内に設けた送風機と、この送風機の吸込側と前記本体ケースの吸気口の間に設けたフィルターと、前記本体ケース内のフィルターと排気口間の風路に介在させた加湿器とを備え、  前記加湿器は、加湿水を貯める上面が開口したトレイと、このトレイに一定量の加湿水を供給する給水タンクと、円板状の加湿体を固定し、この加湿体の下部が前記トレイに供給された加湿水に浸漬するように回転自在に設けた加湿体枠と、この加湿体枠を回転させる回転手段と、前記加湿体枠の回転により前記給水タンクからトレイへの給水制御を行う給水制御手段とを有し、前記給水制御手段は、支点が前記トレイに固定され、力点が前記加湿体枠の押し部に当接する位置に配置され、作用点が前記給水タンクの給水弁に当接する位置に配置されたリンク棒によって構成され、前記加湿器は、位置検出手段を有し、この位置検出手段は、加湿体枠に設けた押し部とリンク棒の力点との非接触状態を検出し、この位置検出手段による、前記加湿体枠の押し部とリンク棒の力点との非接触状態検出後に、加湿体枠の回転を停止させる構成とした加湿機能付空気清浄機。
【請求項２】
前記位置検出手段は、加湿体枠の周縁の一部に設けた磁石と、前記加湿体枠の周縁外周部に設けた磁石検出部とからなる請求項１に記載の加湿機能付空気清浄機。
【請求項３】
前記リンク棒の支点から力点までの距離は、支点から作用点までの距離より長い構成とした請求項１または２に記載の加湿機能付空気清浄機。
【請求項４】
前記リンク棒の作用点と給水タンクの給水弁間に操作レバーを介在させ、この操作レバーはスプリングからなる請求項１〜３のいずれか一つに記載の加湿機能付空気清浄機。
【請求項５】
前記加湿体枠の回転を停止した後に、送風機を所定時間運転させる構成とした請求項１〜４のいずれか一つに記載の加湿機能付空気清浄機。
【発明の詳細な説明】
【技術分野】
【０００１】
本発明は、室内空気の加湿、および、空気清浄を目的とする加湿機能付空気清浄機に関するものである。
【背景技術】
【０００２】
従来、この種の加湿機能付空気清浄機は、以下のような構成となっていた。
【０００３】
すなわち、吸気口、空気清浄用の第一の排気口、加湿用の第二の排気口を有する本体ケースと、この本体ケース内に設けた送風機と、この送風機の吸込側と前記本体ケースの吸気口の間に設けたフィルターと、前記本体ケース内の下方に設けた加湿器とを備えた構成となっていた。
【０００４】
また、前記加湿器は、加湿水を貯める上面が開口したトレイと、このトレイに一定量の加湿水を供給する給水タンクと、前記トレイ内の加湿水にその下部が浸漬された加湿体と、
を有する構成となっている。
【０００５】
さらに、前記送風機の吹出側から前記本体ケースの第一の排気口の間には、第一の排気経路を設け、さらにまた前記送風機の吹出側から、前記本体ケースの第二の排気口の間には、第二の排気経路を設け、この第二の排気経路内に、前記加湿器を介在させていた。
【０００６】
そして、前記第二の排気経路の送風機の吹出側と加湿器との間には、この第二の排気経路を閉じる閉成板を設けた構成となっていた（例えば、これに類似する先行文献として下記特許文献１が存在する）。
【先行技術文献】
【特許文献】
【０００７】
【特許文献１】特開２００５−６１６５５号公報
【発明の概要】
【発明が解決しようとする課題】
【０００８】
上記従来例における課題は、加湿器使用初期において、僅かながらの生乾き臭が発生するということであった。
【０００９】
すなわち、空気清浄機として使用する場合には、第二の排気経路を閉成板で閉じることで、加湿器には送風機からの送風が到達しないようにしており、この時には、本体ケースの吸気口から吸い込まれた室内空気はフィルターを通過して浄化され、次に送風機を介して空気清浄用の第一の排気口から室内へと放出される。
【００１０】
しかしながら、給水タンク内に加湿水が残存している場合は、空気清浄機として使用する時にも、加湿器のトレイに一定水量の加湿水が溜まった状態となり、加湿体の下端は加湿水に浸漬されている。このとき、加湿体の上端部は、送風により次第に水分が蒸発して生乾き状態となっている。
【００１１】
従って、この状態において、閉成板を開放して、加湿器を使用すると、上端部が生乾き状態である加湿体に送風されることとなり、生乾き臭が加湿用の第二の排気口から室内に放出されることになるのである。
【００１２】
これは、加湿初期に発生する生乾き臭としてよく知られているものであるが、その対策が求められている。
【００１３】
そこで、本発明は、この臭気の発生を抑制することを目的とするものである。
【課題を解決するための手段】
【００１４】
そして、この目的を達成するために、本発明は、吸気口と排気口を有する本体ケースと、この本体ケース内に設けた送風機と、この送風機の吸込側と前記本体ケースの吸気口の間に設けたフィルターと、前記本体ケース内のフィルターと排気口間の風路に介在させた加湿器とを備え、  前記加湿器は、加湿水を貯める上面が開口したトレイと、このトレイに一定量の加湿水を供給する給水タンクと、円板状の加湿体を固定し、この加湿体の下部が前記トレイに供給された加湿水に浸漬するように回転自在に設けた加湿体枠と、この加湿体枠を回転させる回転手段と、この加湿体枠の回転により前記給水タンクからトレイへの給水制御を行う給水制御手段とを有し、前記給水制御手段は、支点が前記トレイに固定され、力点が前記加湿体枠の押し部に当接する位置に配置され、作用点が前記給水タンクの給水弁に当接する位置に配置されたリンク棒によって構成され、前記加湿器は、位置検出手段を有し、この位置検出手段は、加湿体枠に設けた押し部とリンク棒の力点との非接触状態を検出し、この位置検出手段による、前記加湿体枠の押し部とリンク棒の力点との非接触状態検出後に、加湿体枠の回転を停止させる構成とし、これにより初期の目的を達成するものである。
【発明の効果】
【００１５】
以上のように本発明は、吸気口と排気口を有する本体ケースと、この本体ケース内に設けた送風機と、この送風機の吸込側と前記本体ケースの吸気口の間に設けたフィルターと、前記本体ケース内のフィルターと排気口間の風路に介在させた加湿器とを備え、前記加湿器は、加湿水を貯める上面が開口したトレイと、このトレイに一定量の加湿水を供給する給水タンクと、円板状の加湿体を固定し、この加湿体の下部が前記トレイに供給された加湿水に浸漬するように回転自在に設けた加湿体枠と、この加湿体枠を回転させる回転手段と、この加湿体枠の回転により前記給水タンクからトレイへの給水制御を行う給水制御手段とを有し、  前記給水制御手段は、支点が前記トレイに固定され、力点が前記加湿体枠の押し部に当接する位置に配置され、作用点が前記給水タンクの給水弁に当接する位置に配置されたリンク棒によって構成され、前記加湿器は、位置検出手段を有し、この位置検出手段は、加湿体枠に設けた押し部とリンク棒の力点との非接触状態を検出し、この位置検出手段による、前記加湿体枠の押し部とリンク棒の力点との非接触状態検出後に、加湿体枠の回転を停止させる構成としたものであり、臭気の発生を抑制することができるものである。
【００１６】
すなわち、本発明においては、空気清浄機として使用する場合には、給水制御手段により給水タンクからトレイへの給水を止める制御を行うことにより、加湿体には加湿水が供給されず、トレイに貯まった加湿水、および加湿体に含まれる加湿水は、送風により加湿水が気化し、空気中に放出される。その結果、加湿体は、乾燥するので生乾きの状態にならず、加湿体の生乾き臭の発生を抑制することができるのである。
【図面の簡単な説明】
【００１７】
【図１】本発明の一実施形態の斜視図
【図２】同断面図
【図３】同断面概略図
【図４】同加湿器、給水制御手段、位置検出手段を示す図
【図５】同加湿器を示す図
【発明を実施するための形態】
【００１８】
以下、本発明の一実施形態を添付図面を用いて説明する。
【００１９】
図１、図２に示すように、本実施の形態の加湿機能付空気清浄機は、前面側の吸気口１と、上面側の排気口２を有する箱型の本体ケース３を有する。
【００２０】
また、前記本体ケース３内には送風機４が設けられ、この送風機４の吸込側と前記本体ケース３の吸気口１の間には、吸気口１側から送風機４に向けて集塵フィルター５ａ、脱臭フィルター５ｂを設け、この集塵フィルター５ａ、脱臭フィルター５ｂと排気口２間の風路には加湿器６が設置されている。
【００２１】
この加湿器６は、図４、図５に示すように、加湿水７を貯める上面が開口したトレイ８と、このトレイ８に一定の加湿水７を供給する給水タンク１０と、円板状の加湿体９を固定し、この加湿体９の下部が前記トレイ８に供給された加湿水７に浸漬するように回転自在に設けた加湿体枠１４を設置する。
【００２２】
加湿体枠１４を回転させる回転手段１３は、電動機（図示せず）によって、駆動されるようになっている。
【００２３】
この電動機によって、回転手段１３を介し、加湿体枠１４と加湿体枠１４に挟み込まれた加湿体９が回転し、この回転に伴い、加湿体９の加湿水７に浸漬していない部分が、トレイ８側に移動することにより、トレイ８内の加湿水７に順次浸漬し、加湿体９の周縁部全体が加湿水７を吸水する。
【００２４】
加湿体９は、水を吸収して保持する性質を有しており、加湿水７を吸収して保持した状態の加湿体９を空気が通過することにより、加湿水７が気化し、空気中に放出される。
【００２５】
本実施形態における特徴は、図４に示すように、加湿器６が、加湿体枠１４の回転を利用して給水タンク１０からの給水制御を行う給水制御手段１５を備えていることである。
【００２６】
この給水制御手段１５は、リンク棒２２と、これを支える支点１６としてリンク棒支持部２３を有する。リンク棒支持部２３は、トレイ８の底面に固定されている。
【００２７】
リンク棒２２の一端は、力点１７として、加湿体枠１４に設けた押し部１８に当接する位置に配置され、リンク棒２２の他端は、作用点１９となる。この作用点と給水タンク１０の給水弁２０間にスプリングで形成した操作レバー２１を介在させる。
【００２８】
支点１６から力点１７までの距離は、支点１６から作用点１９までの距離より長い構成とする。つまり、てこの原理により、押し部が力点を押す少ない力で、作用点に接合された給水弁を開閉することができるからである。
【００２９】
給水弁２０は、給水口２４を覆うように設けられ、上下方向に可動である。給水弁２０が下方向に移動すると給水口２４は閉じ、給水タンク１０内の加湿水７が給水口２４に流れ込まない。給水弁２０が上方向に移動すると給水口２４は開き、給水タンク１０内の加湿水７が給水口２４を通ってトレイ８に流れ込む。
【００３０】
押し部１８は、棒状のリブが、加湿体枠１４の外周部から外側に向かって傾斜して突出した形状となっている。加湿体枠１４は、押し部１８の突出した先端部分がリンク棒２２の力点１７を押し下げる方向に、回転手段１３である電動機により回転される。加湿体枠１４が回転することにより、リンク棒２２の力点１７が押し部１８に接触すると、力点１７は下方向に、リンク棒２２の他端である作用点１９は上方向に押される。これにより、作用点１９と給水弁２０の間に介在させた操作レバー２１は上方向に押されスプリングが圧縮される。操作レバー２１により給水弁２０が上方向に押され、給水弁２０が上方向に移動する。その結果、給水口２４は開き、給水タンク１０内の加湿水７が給水口２４を通ってトレイ８に流れ込む。
【００３１】
加湿体枠１４の回転により、リンク棒２２の力点１７は、一定時間、加湿体枠１４の押し部１８と接触状態となった後、押し部１８から離れて、非接触状態となる。
【００３２】
押し部１８と力点１７が非接触状態となると、圧縮されていた操作レバー２１のスプリングの弾性回復力により作用点１９は押し下げられ、給水弁２０も下方向に移動する。これにより、給水口２４は閉じ、給水タンク１０内の加湿水７が給水口２４に流れ込まない。
【００３３】
すなわち、押し部１８と力点１７が非接触状態のときは、給水口２４は閉じている。
【００３４】
加湿器６は、位置検出手段２５を有し、この位置検出手段２５は、加湿体枠１４に設けた押し部１８とリンク棒２２の力点１７との上記の非接触状態を検出し、運転を停止するときは、非接触状態となるまで加湿体枠１４を回転して停止する。
【００３５】
位置検出手段２５は、加湿体枠１４の周縁部の１箇所に設けた磁石２６と、この磁石２６に近接するように加湿体枠１４の外周近傍に磁石検出部２７が配置されている。
【００３６】
磁石検出部２７は、リンク棒２２の力点１７と、加湿体枠１４の押し部１８が非接触状態となるときに、磁石２６と近接して磁石２６の磁力を検出できる位置に配置する。磁石検出部２７は、磁石２６と近接したときに、磁石２６の磁力を検出する。
【００３７】
運転を停止するときは、直ちに加湿体枠１４の回転を停止せずに、磁石検出部２７が磁石２６と近接して磁石２６の磁力を検知するまで、すなわち、リンク棒２２の力点１７と、加湿体枠１４の押し部１８が非接触状態となる状態まで、加湿体枠１４を回転した後に、加湿体枠１４の回転を停止する。
【００３８】
すなわち、押し部１８と力点１７が非接触状態であるので、給水口２４は閉じている。これにより、給水口２４が閉じ、給水タンク１０内の加湿水７が給水口２４に流れ込まない状態で、運転を停止することとなる。
【００３９】
図３に示すように、送風機４を駆動すると、本体ケース３の吸気口１から吸込まれた空気は、集塵フィルター５ａ、脱臭フィルター５ｂの順に通過し、通過する際に、集塵フィルター５ａにおいては、埃、アレルゲン等が濾し取られ、脱臭フィルター５ｂにおいては、脱臭フィルター５ｂ内に充填された活性炭が臭気成分を吸着して、空気を浄化する。
【００４０】
そして、このように浄化された空気は、加湿器６を通って、次に送風機４の吸込側から吸込まれ吹出側から吹き出され、その後、排気口２から室内に吹き出される。
【００４１】
この加湿機能付空気清浄機は、加湿空気清浄運転と、空気清浄運転を選択的に行うことができるようになっている。
【００４２】
加湿空気清浄運転においては、空気を浄化して加湿する。
【００４３】
空気清浄運転においては、空気を浄化するが、加湿しない。
【００４４】
上述したように、加湿空気清浄運転においても、空気清浄運転においても、集塵フィルター５ａ、脱臭フィルター５ｂを通過した空気は、加湿器６を通ることとなるので、加湿空気清浄運転時は、加湿水７がトレイ８に供給され、空気清浄運転時は、加湿水７がトレイ８に供給されないようにする必要がある。
【００４５】
すなわち、加湿空気清浄運転においては、加湿体枠１４の回転手段１３を電動機で駆動することにより、上述のように、加湿水７がトレイ８に供給され、加湿水７を吸収した加湿体９に、集塵フィルター５ａ、脱臭フィルター５ｂを通過した空気が通過することにより、空気を浄化して加湿する。そして、加湿空気清浄運転を停止するときは、位置検出手段２５により、給水弁２０が閉じた状態で加湿体枠１４の回転を停止する。
【００４６】
一方、空気清浄運転においては、加湿体枠１４の回転手段１３を電動機で駆動しない。上述のように、加湿空気清浄運転を停止するときは、給水弁２０が閉じた状態で加湿体枠１４の回転を停止するため、運転開始時は、給水弁２０は閉じている。従って、加湿水７がトレイ８に供給されず、加湿水７を吸収していない加湿体９に、集塵フィルター５ａ、脱臭フィルター５ｂを通過した空気が通過することにより、空気を浄化するが、加湿しない。
【００４７】
なお、停電等により加湿空気清浄運転が異常終了した場合は、リンク棒２２の力点１７と、加湿体枠１４の押し部１８が非接触状態となる状態まで、加湿体枠１４を回転した後に、加湿体枠１４の回転を停止することができないことがある。その場合は、給水弁２０が開いた状態で運転が停止し、空気清浄運転の運転開始時に、給水弁２０が開いた状態となり、加湿水７がトレイ８に供給され、空気が加湿されることとなる。
【００４８】
これを避けるために、運転開始時に、位置検出手段２５により、給水弁２０が閉じた状態であること、すなわち、リンク棒２２の力点１７と、加湿体枠１４の押し部１８が非接触状態であるかを検出し、リンク棒２２の力点１７と、加湿体枠１４の押し部１８が非接触状態でない場合は、位置検出手段２５により、リンク棒２２の力点１７と、加湿体枠１４の押し部１８が非接触状態となるまで、すなわち、給水弁２０が閉じた状態となるまで、加湿体枠１４を回転した後に加湿体枠１４の回転を停止する。
【００４９】
上述のように、加湿空気清浄運転後に、空気清浄運転を開始すると、通常は、給水弁２０は閉じている。空気清浄運転においては、加湿体枠１４は回転しないので、加湿水７がトレイ８に供給されないが、トレイ８には一定の加湿水７が貯まっている。そのため、加湿体９は加湿水７を吸収して保持した状態となっている。空気清浄運転により、送風された空気が加湿体９を通過することにより、加湿水７が気化し、放出される。トレイ８内に残存している加湿水７は所定時間運転すると放出し切られる。その結果、加湿体９は、乾燥し、生乾き状態とならないので、生乾き臭を抑制することができるのである。
【００５０】
加湿体枠１４の回転を停止した後に、送風機４をトレイ８内の加湿水７が放出し切られるまでの所定時間運転させる構成とする。これにより、加湿空気清浄運転後は、トレイ８および加湿体９から加湿水７を放出し切ることにより、加湿体９は、乾燥し、生乾き状態とならないので、生乾き臭を抑制することができるのである。
【産業上の利用可能性】
【００５１】
以上のように本発明にかかる加湿機能付空気清浄機は、吸気口と排気口を有する本体ケースと、この本体ケース内に設けた送風機と、この送風機の吸込側と前記本体ケースの吸気口の間に設けたフィルターと、前記本体ケース内のフィルターと排気口間の風路に介在させた加湿器とを備え、  前記加湿器は、加湿水を貯める上面が開口したトレイと、このトレイに一定量の加湿水を供給する給水タンクと、円板状の加湿体を固定し、この加湿体の下部が前記トレイに供給された加湿水に浸漬するように回転自在に設けた加湿体枠と、この加湿体枠を回転させる回転手段と、この加湿体枠の回転により前記給水タンクからトレイへの給水制御を行う給水制御手段とを有し、  前記給水制御手段は、支点が前記トレイに固定され、力点が前記加湿体枠の押し部に当接する位置に配置され、作用点が前記給水タンクの給水弁に当接する位置に配置されたリンク棒によって構成するにより、生乾き臭を抑制することができるものであるので、加湿機能付空気清浄機等として有用である。
【符号の説明】
【００５２】
１    吸気口
２    排気口
３    本体ケース
４    送風機
５    フィルター
５ａ  集塵フィルター
５ｂ  脱臭フィルター
６    加湿器
７    加湿水
８    トレイ
９    加湿体
１０  給水タンク
１３  回転手段
１４  加湿体枠
１５  給水制御手段
１６  支点
１７  力点
１８  押し部
１９  作用点
２０  給水弁
２１  操作レバー
２２  リンク棒
２３  リンク棒支持部
２４  給水口
２５  位置検出手段
２６  磁石
２７  磁石検出部
【図１】
0005621547.tif 000002
【図２】
0005621547.tif 000003
【図３】
0005621547.tif 000004
【図４】
0005621547.tif 000005
【図５】
0005621547.tif 000006